(57)【要約】  【課題】  成形材料に関係なくグリップ後端部の前方及び周方向への位置ズレや空回りと緩みやめくれを確実に防止する。  【解決手段】  軸筒１側に、グリップ２へ向け軸方向に突出してその先端が軸方向と交差する方向へ広がった形状の凸部１ｂを形成し、この凸部１ｂの形状と嵌め合う形状の凹部２ａをグリップ２の端部に形成し、これら凸部１ｂと凹部２ａの嵌合でグリップ２を軸方向へ移動不能に連結することにより、筆記時の把持圧でグリップ２に対し前方への押圧力が掛かっても、グリップ２の軸方向へ移動が阻止されると共に、グリップ２に対し周方向への押圧が作用しても、グリップ２の回転移動が阻止される。  【選択図】      図１
2007237443.tif 000002
【特許請求の範囲】
【請求項１】
軸筒（１）の把持部位（１ａ）に軟質材料からなる筒状のグリップ（２）を具備した筆記具において、
前記軸筒（１）側に、グリップ（２）へ向け軸方向に突出してその先端が軸方向と交差する方向へ広がった形状の凸部（１ｂ）を形成し、この凸部（１ｂ）の形状と嵌め合う形状の凹部（２ａ）をグリップ（２）の端部に形成し、これら凸部（１ｂ）と凹部（２ａ）の嵌合でグリップ（２）を軸方向へ移動不能に連結したことを特徴とする筆記具。
【請求項２】
上記グリップ（２）の凹部（２ａ）を、その端部の厚み方向一部分のみに部分的に形成し、同厚み方向の他の部分には、該グリップ（２）を周方向へ連続させる連絡部（２ｂ）を形成したことを特徴とする請求項１記載の筆記具。
【請求項３】
上記軸筒（１）側の凸部（１ｂ）とグリップ（２）の凹部（２ａ）との嵌合箇所の外周に被覆リング（３）を被せて、その内周面（３ａ）を該凸部（１ｂ）及び凹部（２ａ）の外面に密着させたことを特徴とする請求項１又は２記載の筆記具。
【発明の詳細な説明】
【技術分野】
【０００１】
本発明は、軸筒の把持部位に滑り止めなどを目的として、弾性変形可能な軟質材料からなる筒状のグリップ（弾性把持部材）を具備した、例えばボールペンやシャープペンシルやサインペンなどの筆記具に関する。
詳しくは、グリップの後端部の位置ズレ防止機構を備えた筆記具に関する。
【背景技術】
【０００２】
従来、この種の筆記具として、グリップ（外被体）の後端に内方へ向けて複数の凸部（後方厚肉部）を周方向へ等間隔毎に突出形成し、これら凸部を夫々軸筒の外周面及びその後方固定突起の間に区画形成された凹部（空間）へ嵌め込み、その外側から係止リング（後方止めリング）で覆って挟み込むことにより、グリップの後端凸部と軸筒とが凹凸嵌合され、これら後方固定突起と係止リングとの間に幅狭の後方幅狭部を形成して、筆記時の把持圧でグリップ（外被体）の後端部に前方への押圧力が掛かったとしても、該グリップの後端凸部が後方幅狭部を通過できないようにしたものがある（例えば、特許文献１参照）。
また、軸筒とグリップとの固定を、グリップの後方に、１個以上の凹部や貫通孔（穴）を形成し、この凹部や貫通孔に係合する突起を前記軸筒側に形成して、それらの凹凸嵌合や又は貫通孔に突起を挿通した軸嵌合で前方へ移動不能に保持することにより、グリップと軸筒の緩みや空回り等が防止されるものもある（例えば、特許文献２参照）。
【０００３】
しかし乍ら、このような従来の筆記具によれば、特許文献１の場合は、グリップの後端部に前方への押圧力が掛かると、グリップの後端部全体が軸方向へ伸び変形して、この前方への押圧力が、複数の凹凸嵌合部だけに集中的に掛かるため、軟質材料からなる各凸部の肉厚寸法が薄くなり易く、それにより凹凸嵌合部が外れて前方への位置ズレする恐れがあるという問題がある。
また、特許文献２の場合には、グリップの後端部に前方への押圧力が掛かると、グリップの後端部全体が軸方向へ伸び変形して、この前方への押圧力が凹凸嵌合部や軸嵌合部に集中的に掛かるため、軟質材料からなる凹部や貫通孔の肉厚寸法が薄くなり易く、それにより凹凸嵌合部が外れたり、貫通孔が断裂するなどして前方への位置ズレする恐れがあるという問題がある。
特に、近年では把持感触を向上する観点などから、例えばゴム硬度が４０度以下の極軟質な材料で成形したグリップが増えつつあり、その場合には、上述した位置ズレの発生が顕著となり、長期に亘って快適な把持感触を持続できないという問題があった。
【特許文献１】特開２００５−０７５８５号公報（第４，５，７，８頁、図２−８）
【特許文献２】特開２００５−６７０８５号公報（第３，４頁、図１，３−８）
【発明の開示】
【発明が解決しようとする課題】
【０００４】
本発明は、上記従来事情に鑑みてなされたもので、その課題とするところは、成形材料に関係なくグリップ後端部の前方及び周方向への位置ズレや空回りと緩みやめくれを確実に防止した筆記具を提供ことにある。
【課題を解決するための手段】
【０００５】
上記課題を解決するために、第一の発明では、軸筒側に、グリップへ向け軸方向に突出してその先端が軸方向と交差する方向へ広がった形状の凸部を形成し、この凸部の形状と嵌め合う形状の凹部をグリップの端部に形成し、これら凸部と凹部の嵌合でグリップを軸方向へ移動不能に連結したことを特徴とする。
また、第二の発明では、上記第一の発明の構成に加えて、上記グリップの凹部を、その端部の厚み方向一部分のみに部分的に形成し、同厚み方向の他の部分には、該グリップを周方向へ連続させる連絡部を形成したことを特徴とする。
また、第三の発明では、上記第一又は第二の発明の構成に加えて、上記軸筒側の凸部とグリップの凹部との嵌合箇所の外周に被覆リングを被せて、その内周面を該凸部及び凹部の外面に密着させたことを特徴とする。
【発明の効果】
【０００６】
本発明は、上記構成により下記の作用効果を奏する。
第一の発明によれば、軸筒側に、グリップへ向け軸方向に突出してその先端が軸方向と交差する方向へ広がった形状の凸部を形成し、この凸部の形状と嵌め合う形状の凹部をグリップの端部に形成し、これら凸部と凹部の嵌合でグリップを軸方向へ移動不能に連結することにより、筆記時の把持圧でグリップに対し前方への押圧力が掛かっても、グリップの軸方向へ移動が阻止されると共に、グリップに対し周方向への押圧（捻れ力）が作用しても、グリップの回転移動が阻止される。
従って、成形材料に関係なくグリップ後端部の前方及び周方向への位置ズレや空回りと緩みやめくれを確実に防止することができる。
よって、グリップの後端部が複数の部分的な凹凸嵌合や軸嵌合で前方へ移動不能に保持される従来技術と比べ、例えばゴム硬度が１５度程度の極軟質な材料でグリップを成形しても、部分的な断裂が発生せず、長期に亘って快適な把持感触を持続できる。
【０００７】
第二の発明によれば、グリップの凹部を、その端部の厚み方向一部分のみに部分的に形成し、同厚み方向の他の部分には、該グリップを周方向へ連続させる連絡部を形成することにより、連絡部でグリップが筒状に連続して厚み方向に貫通しない構造となっている。
従って、グリップ端部の伸びよる拡径や変形を抑制しながら断裂を確実に防止することができる。
よって、グリップの凹部及び軸筒側の凸部からなる嵌合部分の強度アップをも図れる。
【０００８】
第三の発明によれば、軸筒側の凸部とグリップの凹部との嵌合箇所の外周に被覆リングを被せて、その内周面を該凸部及び凹部の外面に密着させることにより、凸部及び凹部の厚み方向への拡径及び変形が抑制される。
従って、グリップ端部の保持力を更に向上させることができる。
よって、グリップ後端部の前方及び周方向への位置ズレや空回りと緩みやめくれを更に確実に防止できる。
更に、凸部及び凹部からなる嵌合部分が被覆リングにより隠れるので、装飾効果が得られると共にデザインの自由度も増える。
【発明を実施するための最良の形態】
【０００９】
本発明の筆記具Ａは、図１〜図５に示す如く、軸筒１と、その把持部位１ａを覆うように挿着されるグリップ２とを備え、この軸筒１側に、グリップ２へ向け軸方向に突出してその先端が軸方向と交差する方向へ広がった形状の凸部１ｂを形成し、該グリップ２には、この凸部１ｂの形状と嵌め合う形状の凹部２ａを形成して、これら凸部１ｂと凹部２ａの嵌合により軸筒１側に対しグリップ２を軸方向及び周方向へ移動不能に連結させたものである。
【００１０】
前記軸筒１の把持部位１ａか或いはそれに対して軸方向へ移動不能に取り付けられた部材には、どちらか一方の後端部及び又は前端部に、グリップ２へ向け前方（図面では下方）か或いは後方（図面では上方）に突出して該グリップ２の凹部２ａと前後方向及び径方向へ移動不能に係合する凸部１ｂを、周方向へ一つ又は周方向へ適宜間隔毎に複数形成している。
【００１１】
前記グリップ２は、好ましくはゴム硬度が５〜４０度、詳しくは１５度程度の極軟質な材料で、略円筒状か又は断面三角形や多角形などの角筒状に形成され、その内径を前記軸筒１の把持部位１ａの外径と略同じとするか、或いはそれよりも若干大きくして、把持部位１ａへの挿入を容易にすると共に、その後端部及び又は前端部を円筒状に形成している。
その他の例として、予め複数に分割形成された部品を相互に連結することで、筒状のグリップ２となるようにしたり、例えば特開２００５−０７５８５号公報に開示されるように、グリップ２と軸筒１の把持部位１ａとの間に、緩衝目的でゲル状物質などを介在させることも可能である。
【００１２】
そして、グリップ２の後端部及び又は前端部には、前記軸筒１側の凸部１ｂの形状と嵌め合う形状の凹部２ａを、周方向へ該凹部２ａの数と同じ数だけ形成している。
【００１３】
更に、この凹部２ａは、グリップ２の前後端部の厚み方向一部分のみに部分的に形成され、同厚み方向の他の部分には、該グリップ２を周方向へ連続させる連絡部２ｂを形成して、該連絡部２ｂによりグリップ２が筒状に連続して厚み方向に貫通しない構造とすることが好ましい。
【００１４】
また、前記軸筒１側の凸部１ｂとグリップ２の凹部２ａとの嵌合箇所には、その外周に被覆リング３を被せて、その内周面３ａを、これら嵌合された凸部１ｂ及び凹部２ａの外面に密着させることが好ましい。
以下、本発明の各実施例を図面に基づいて説明する。
【実施例１】
【００１５】
この実施例１は、図１（ａ）〜（ｄ）及び図２に示す如く、上記軸筒１の把持部位１ａの後端部だけに、グリップ２へ向け前方に突出する凸部１ｂを、周方向へ当間隔毎に一対形成し、この凸部１ｂと夫々嵌め合う形状の凹部２ａを、上記グリップ２の後端部だけに一対形成すると共に、これら嵌合された凸部１ｂと凹部２ａの外周に被覆リング３を被せて、その内周面３ａが該凸部１ｂ及び凹部２ａの外面に密着される場合を示すものである。
【００１６】
前記軸筒１の把持部位１ａには、グリップ２の後端面２ｃと対向当接する環状突起１ｃが形成され、この環状突起１ｂの外径をグリップ２の外径と略同じにして、後述する凸部１ｂと該把持部位１ａの表面との間に隙間１ｓを形成している。
【００１７】
この凸部１ｂ及びそれと嵌め合う凹部２ａの形状は、図示例の場合、図１（ｂ）及び図２（ｂ）に示す如く、軸筒１からグリップ２へ向け前方に突出する直線部分Ｘと、その先端から軸方向と交差する周方向へ直線状に広がる拡大部分Ｙと、その両端から山形状に突出するガイド部分Ｚとで、夫々矢印型に形成されている。
【００１８】
上記凹部２ａは、グリップ２の後端部外周面に凹設され、この凹部２ａと厚み方向反対側の内周面に肉薄な連絡部２ｂを形成することにより、この肉薄な連絡部２ｂで筒状に連続して厚み方向に貫通しない構造とすると共に、その肉薄な連絡部２ｂの肉厚寸法を前記軸筒１の隙間１ｓと略同じか又はそれよりも若干薄くして、各連絡部２ｂを前記軸筒１の隙間１ｓに対し、夫々軸方向へ嵌挿自在にしている。
【００１９】
更に、このグリップ２の後端部外周面２ｄの外径を、他の部分の外周面２ｅの外径よりも小さく形成して、この後端部外周面２ｄの外周に、後述する被覆リング３を被せた状態で、これら他の部分の外周面２ｅと被覆リング３の外周面３ｂとを略面一状にしている。
【００２０】
この被覆リング３は、例えば金属や合成樹脂などの硬質材料で環状に形成され、例えば金属や合成樹脂などの硬質材料で環状に形成され、その内周に上記軸筒１の環状突起１ｃと軸方向へ係合する段部３ｃを形成して、前方へ向け移動不能に嵌合させると共に、その前端部内周面３ａの内径をグリップ２の後端部外周面２ｄの外径と略同じとするか又はそれよりも若干大きくして、これら両者の嵌挿状態で相互に密着させるようにしている。
【００２１】
図示例の場合には、前記軸筒１が把持部位１ａを凹状に形成した前軸であり、この前軸の後端部外周１ｄに、前記被覆リング３の後端部３ｄを嵌挿又は圧入することで、この前軸１に対し被覆リング３が軸方向へ移動不能に一体化され、該後端部３ｄの外周面には後軸１′を螺着接合などで連結することにより、これら前軸１、被覆リング３及び後軸１′を一体化している。
【００２２】
また、前記軸筒１の前端には、グリップ２の前端面との間に、滑り性に優れた材料で形成された滑りリング４を介して先口５が螺着接合などで連結され、その内部には、リフィール６が出没自在に組み込まれたノック式ボールペンの場合を示している。
【００２３】
次に、斯かる筆記具Ａの組立方法及びその作用効果について説明する。
先ず、図２（ａ）（ｂ）に示す如く、軸筒１の把持部位１ａに対してその前方からグリップ２を挿入し、その後端面２ｃが該環状突起１ｃの前面側に当接するか又はそれに近い状態まで差し込むと共に、グリップ２の凹部２ａの直線部分Ｘから軸筒１の凸部１ｂのガイド部分Ｚに挿入して、該凹部２ａの拡大部分Ｙを弾性変形させ、これら凹部２ａ全体を凸部１ｂ全体と嵌合させる。
【００２４】
それにより、軸筒１に対してグリップ２が軸方向及び周方向へ移動不能に連結される。
させたものである。
【００２５】
そして、軸筒１の環状突起１ｃへ向けてその後方から被覆リング３を挿入し、その内周の段部３ｃを該軸筒１の環状突起１ｃと軸方向へ係合させると共に、その前端部内周面３ａを、グリップ２の後端部外周面２ｄと上記凸部１ｂ及び凹部２ａの外面に被せる。
【００２６】
それにより、被覆リング３の前端部内周面３ａが、グリップ２の後端部外周面２ｄと上記凸部１ｂ及び凹部２ａの外面に密着して、グリップ２の後端部と凸部１ｂ及び凹部２ａの厚み方向への拡径及び変形が抑制される。
【００２７】
このように組み立てられた筆記具Ａは、筆記時の把持圧でグリップ２に対し前方への押圧力が掛かっても、グリップ２の前方へ移動が阻止されると共に、グリップ２に対し周方向への押圧（捻れ力）が作用しても、グリップ２の回転移動が阻止される。
【００２８】
それにより、グリップ２全体を弾性変形し易い軟質材料で成形しても、それに関係なく後端部の前方及び周方向への位置ズレや空回りと緩みやめくれを確実に防止できる。
【００２９】
更に、本実施例の場合には、上記グリップ２の凹部２ａが形成される後端部を、連絡部２ｂで該グリップ２が筒状に連続して厚み方向に貫通しない構造としているため、その引っ張り強度が部分的に著しく低下せず、それにより、グリップ２の後端部が伸びて拡径したり変形するのを抑制できると共に断裂の発生を確実に防止できて、該凹部２ａと凸部１ｂからなる嵌合部分の強度アップをも図れるという利点がある。
【００３０】
また、これら凸部１ｂ及び凹部２ａの嵌合部分が、被覆リング３により隠れるので、装飾効果が得られると共にデザインの自由度も増えるという利点もある。
【実施例２】
【００３１】
この実施例２は、図３に示す如く、上記凸部１ｂ及び凹部２ａの形状を矢印型に代えて、略円形状に形成した構成が、前記図１及び図２に示した実施例１とは異なり、それ以外の構成は図１及び図２に示した実施例１と同じものである。
【００３２】
図示例では、略円形状の凸部１ｂ及び凹部２ａを、前方に突出する直線部分Ｘと、その先端から周方向へ半円状に広がる拡大部分Ｙと、その両端から半円状に突出するガイド部分Ｚとで形成している。
その他の例として図示せぬが、前記直線部分Ｘを形成せずに直接、円形状の拡大部分Ｙ及びガイド部分Ｚを形成したり、これら拡大部分Ｙ及びガイド部分Ｚの形状を円形でなく、楕円形などに代えることも可能である。
【００３３】
従って、図３に示す実施例２も、上述した実施例１と同様な作用効果が得られる。
【実施例３】
【００３４】
この実施例３は、図４に示す如く、上記凸部１ｂ及び凹部２ａの形状を、略菱形状に形成した構成が、前記図１及び図２に示した実施例１とは異なり、それ以外の構成は図１及び図２に示した実施例１と同じものである。
【００３５】
図示例では、略菱形状の凸部１ｂ及び凹部２ａを、前方に突出する直線部分Ｘと、その先端から周方向へ山型状に広がる拡大部分Ｙと、その両端から山型状に突出するガイド部分Ｚとで形成している。
その他の例として図示せぬが、前記直線部分Ｘを形成せずに直接、菱形状の拡大部分Ｙ及びガイド部分Ｚを形成することも可能である。
【００３６】
従って、図４に示す実施例３も、上述した実施例１と同様な作用効果が得られる。
【実施例４】
【００３７】
この実施例４は、図５に示す如く、上記凸部１ｂ及び凹部２ａの形状を、略台形状に形成した構成が、前記図１及び図２に示した実施例１とは異なり、それ以外の構成は図１及び図２に示した実施例１と同じものである。
【００３８】
図示例では、略台形状の凸部１ｂ及び凹部２ａを、前方に向かって周方向へ徐々に拡開する拡大部分Ｙのみで形成している。
その他の例として図示せぬが、前記拡大部分Ｙの両端から半円状か又は山型状に突出するガイド部分を形成することも可能である。
【００３９】
従って、図５に示す実施例４も、上述した実施例１と同様な作用効果が得られる。
【００４０】
尚、前示実施例１−４では、上記軸筒１の把持部位１ａの後端部だけに凸部１ｂを形成し、これと嵌め合う形状の凹部２ａをグリップ２の後端部だけに形成すると共に、これらの外周に被覆リング３を被せて、その内周面３ａを該凸部１ｂ及び凹部２ａの外面に密着させたが、これに限定されず、それと同様に軸筒１の把持部位１ａの前端部にも凸部を形成し、これと嵌め合う形状の凹部をグリップ２の前端部にも形成すると共に、これらの外周に被覆リングか又は先口７などを被せて、その内周面を該凸部及び凹部の外面に密着させても良い。
【００４１】
更に、図示例では、前記軸筒１である前軸と後軸１′が外装リング５を介して螺着接合される場合を示したが、これに限定されず、軸筒を分離不能な一体構造としても良い。
また、上記筆記具Ａがノック式ボールペンの一例を示したが、これに限定されず、回転操作によって筆記部を出没させる構造のボールペンや、筆記部が出没しない構造のボールペン、或いはそれ以外の例えばシャープペンシルやサインペンなどであっても良い。
【図面の簡単な説明】
【００４２】
【図１】本発明の筆記具の実施例１を示しており、（ａ）が筆記具の縦断正面図であり、（ｂ）が一部切欠側面図であり、（ｃ）が図１（ａ）の（１Ｃ）−（１Ｃ）線に沿える横断底面図であり、（ｄ）が図１（ａ）の１Ｄ）−（１Ｄ）線に沿える横断平面図である。
【図２】グリップと被覆リングの組立途中を示しており、（ａ）が部分的な縮小縦断正面図であり、（ｂ）が部分的な縮小側面図である。
【図３】本発明の筆記具の実施例２を示し、グリップと被覆リングの組立途中を示した部分的な縮小側面図である。
【図４】本発明の筆記具の実施例３を示し、グリップと被覆リングの組立途中を示した部分的な縮小側面図である。
【図５】本発明の筆記具の実施例４を示し、グリップと被覆リングの組立途中を示した部分的な縮小側面図である。
【符号の説明】
【００４３】
１  軸筒                              １ａ  把持部位
１ｂ  凸部                            ２  グリップ
２ａ  凹部                            ２ｂ  連絡部
３  被覆リング                        ３ａ  内周面（前端部内周面）
【図１】
2007237443.tif 000003
【図２】
2007237443.tif 000004
【図３】
2007237443.tif 000005
【図４】
2007237443.tif 000006
【図５】
2007237443.tif 000007